(57)【要約】      （修正有）【課題】血管確保を容易にする駆血バンドを提供する。【解決手段】圧迫バンド２と幅広バンド３とを有する。圧迫バンド２は腕に巻き付け可能な長さの帯状のゴムシートから成る。幅広バンド３は圧迫バンド２より幅が広く、腕に巻き付け可能な長さの長方形状のゴムシートから成る。圧迫バンド２および幅広バンド３には、両端の互いに反対面に１対の面ファスナー４ａ，４ｂ，５ａ，５ｂが貼り付けられている。面ファスナーは、互いに任意の位置で貼り合わせて固定可能である。圧迫バンド２および幅広バンド３は腕に巻き付け、腕を締め付けた状態で保持可能である。圧迫バンド２および幅広バンド３は、側縁端部２ａ，３ａで互いに結合している。圧迫バンド２を上腕に巻き付けたとき、幅広バンド３を圧迫バンド２のすぐ隣りで、圧迫バンド２より前腕側の腕に巻き付けることができる。【選択図】図１
0003195468.tif 000002
【実用新案登録請求の範囲】
【請求項１】
腕に巻き付けて締め付け可能な圧迫バンドと、
前記圧迫バンドより幅が広く、前記圧迫バンドより前腕側の腕に巻き付けて締め付け可能な幅広バンドとを、
有することを特徴とする駆血バンド。
【請求項２】
前記圧迫バンドおよび前記幅広バンドは前記腕に巻き付けた状態で保持可能な１対の面ファスナーをそれぞれ両端に有することを、特徴とする請求項１記載の駆血バンド。
【請求項３】
前記幅広バンドはゴムシートから成り、前記圧迫バンドおよび前記幅広バンドは側縁の一部で互いに結合していることを、特徴とする請求項１または２記載の駆血バンド。
【請求項４】
前記幅広バンドは密閉された袋状であって、内部に送気して加圧状態を保持可能なポンプおよび内部の空気の排気弁を有することを、特徴とする請求項１または２記載の駆血バンド。
【考案の詳細な説明】
【技術分野】
【０００１】
本考案は、駆血バンドに関し、特に血管確保を容易にする駆血バンドに関する。
【背景技術】
【０００２】
点滴や採血を行う場合、通常、前腕部の血管（静脈）が選択される。その際、血管を拡張・うっ血させて穿刺しやすくする目的でチューブ型や平型のゴムバンドが使用される（例えば、特許文献１参照）。
【先行技術文献】
【特許文献】
【０００３】
【特許文献１】特開２０１３−１１８９３８号公報
【考案の概要】
【考案が解決しようとする課題】
【０００４】
しかしながら、特許文献１に記載の駆血バンドを使用しても血管が細かったり、肥満などのため血管が皮下に埋没して見えにくかったりする例も少なくない。また、血圧低下時や心肺停止の場合は血管が虚脱しており、見えにくい。このように、通常使用している圧迫バンドでは、血管確保が困難な場合がたびたび生じるという課題があった。
【０００５】
本考案は、このような課題に着目してなされたもので、血管確保を容易にする駆血バンドを提供することを目的とする。
【課題を解決するための手段】
【０００６】
上記目的を達成するために、本考案に係る駆血バンドは、腕に巻き付けて締め付け可能な圧迫バンドと、前記圧迫バンドより幅が広く、前記圧迫バンドより前腕側の腕に巻き付けて締め付け可能な幅広バンドとを、有することを特徴とする。
【０００７】
圧迫バンドは、伸縮性のあるゴムから成ることが好ましいが、合成樹脂、布、革などかってもよい。圧迫バンドの形状は、細長いシート状が好ましいが、紐状、チューブ状などであってもよい。幅広バンドは、伸縮性のあるゴムシート、合成樹脂シート、合成樹脂袋などから成ることが好ましい。圧迫バンドおよび幅広バンドによる締付けは、面ファスナーによる固定のほか、結え付け、着脱可能な粘着、スナップボタンなどによる固定で行ってもよい。圧迫バンドおよび幅広バンドには、貼付け位置を確認できるよう縁部に目盛が設けられていてもよい。
【０００８】
本考案に係る駆血バンドは、以下のようにして使用される。
まず、圧迫バンドを上腕の中枢側に強めに巻き付け固定する。次いで、圧迫バンドより末梢側に幅広バンドを強めに巻き付ける。圧迫バンドを上腕の中枢側に強めに巻き付けることにより、中枢側の血管は圧迫され、静脈の流れを止める。この状態で幅広バンドを圧迫バンドより末梢側に巻き付けることにより、巻き付けた箇所に存在する静脈血は末梢側に流れ込む。このため、末梢側の血管がより拡張しうっ血して、血管確保を容易にすることができる。
【０００９】
本考案に係る駆血バンドで、前記圧迫バンドおよび前記幅広バンドは前記腕に巻き付けた状態で保持可能な１対の面ファスナーをそれぞれ両端に有することが好ましい。
この場合、圧迫バンドおよび幅広バンドを、任意の位置に巻き付けた状態で容易に保持することができる。
【００１０】
本考案に係る駆血バンドで、前記幅広バンドはゴムシートから成り、前記圧迫バンドおよび前記幅広バンドは側縁の一部で互いに結合していることが好ましい。
この場合、圧迫バンドおよび幅広バンドは側縁の一部で互いに結合しているため、圧迫バンドを巻き付けた位置のすぐ隣りで幅広バンドを巻き付けるようになり、幅広バンドを巻き付けた箇所の静脈血を効果的に末梢側に送り、血管確保を容易にすることができる。
圧迫バンドと幅広バンドとの結合は、側縁の一部の縫合、接着、金具固定などのほか、一体成形で行ってもよい。側縁の一部としては、側縁端部が好ましい。
【００１１】
本考案に係る駆血バンドで、前記幅広バンドは密閉された袋状であって、内部に送気して加圧状態を保持可能なポンプおよび内部の空気の排気弁を有していてもよい。
この場合、圧迫バンドを上腕の中枢側に強めに巻き付けて固定し、圧迫バンドより末梢側に幅広バンドを巻き付けたならば、排気弁を閉じた状態で幅広バンドの内部に適切な圧力になるまでポンプで送気する。これにより、幅広バンドを巻き付けた箇所に存在する静脈血は加圧されて末梢側に流れ込み、末梢側の血管がより拡張しうっ血して、血管確保を容易にすることができる。
なお、ポンプは、手動式であっても、自動式であってもよい。
【考案の効果】
【００１２】
本考案によれば、血管確保を容易にする駆血バンドを提供することができる。
【図面の簡単な説明】
【００１３】
【図１】本考案の実施の形態の駆血バンドの平面図である。
【図２】図１の駆血バンドの使用状態説明図である。
【図３】図１の駆血バンドの原理を示す説明図である。
【考案を実施するための形態】
【００１４】
以下、図面に基づき本考案の実施の形態について説明する。
図１〜図３は、本考案の実施の形態の駆血バンドを示している。
図１に示すように、駆血バンド１は、圧迫バンド２と幅広バンド３とを有している。圧迫バンド２は、腕に巻き付け可能な長さの帯状のゴムシートから成る。幅広バンド３は、圧迫バンド２より幅が広く、腕に巻き付け可能な長さの長方形状のゴムシートから成る。圧迫バンド２は、幅広バンド３より幾分短くなっている。
【００１５】
圧迫バンド２および幅広バンド３は、両端の互いに反対面に１対の面ファスナー４ａ，４ｂ，５ａ，５ｂが貼り付けられている。面ファスナー４ａ，４ｂ，５ａ，５ｂは、ループ面側４ａ，５ａとフック面側４ｂ，５ｂとで１対をなし、互いに任意の位置で貼り合わせて固定可能となっている。このため、圧迫バンド２および幅広バンド３を腕に巻き付け、それぞれ１対の面ファスナー４ａ，４ｂ，５ａ，５ｂを腕の太さに合わせて調節して貼り合わせることにより、腕を締め付けた状態で保持可能である。
【００１６】
圧迫バンド２および幅広バンド３は、側縁端部２ａ，３ａで互いに結合している。このため、圧迫バンド２を上腕Ａに巻き付けたとき、幅広バンド３を圧迫バンド２のすぐ隣りで、圧迫バンド２より前腕側の腕に巻き付けることができる。
【００１７】
駆血バンド１は、以下のようにして使用される。
まず、図２の使用状態説明図に示すように、圧迫バンド２を上腕Ａの中枢側に強めに巻き付け固定する。圧迫バンド２は幅広バンド３より短いため、意識しなくても圧迫バンド２を強めに巻き付けられる。圧迫バンド２は、１対の面ファスナー４ａ，４ｂにより貼り合わせ位置を調節して固定することができる。
【００１８】
次いで、圧迫バンド２より末梢側に幅広バンド３を強めに巻き付ける。幅広バンド３もまた、１対の面ファスナー５ａ，５ｂにより貼り合わせ位置を調節して固定することができる。固定に面ファスナー４ａ，４ｂ，５ａ，５ｂを用いることにより、圧迫バンド２および幅広バンド３を任意の位置に巻き付けた状態で容易に保持することができる。
【００１９】
図３に駆血バンド１の原理を示すように、圧迫バンド２を上腕の中枢側に強めに巻き付けることにより、中枢側の血管Ｂは圧迫され、静脈の流れを止める。この状態で幅広バンド３を圧迫バンド２より末梢側に巻き付けることにより、巻き付けた箇所に存在する静脈血は末梢側に流れ込む。このため、末梢側の血管Ｂがより拡張しうっ血して、血管確保を容易にすることができる。特に、圧迫バンド２および幅広バンド３は側縁端部２ａ，３ａで互いに結合しているため、圧迫バンド２を巻き付けた位置のすぐ隣りで幅広バンド３を巻き付けるようになり、幅広バンド３を巻き付けた箇所の静脈血を効果的に末梢側に送り、血管確保を容易にすることができる。
【００２０】
なお、幅広バンドは、血圧計のカフのような構造を有していてもよい。この場合、幅広バンドは、密閉された袋状をなし、チューブを介して内部に送気して加圧状態を保持可能なポンプおよび内部の空気の排気弁を有する。排気弁は、ポンプに設けられていても、幅広バンドに直接設けられていてもよい。
【００２１】
幅広バンドがこのような構成のとき、以下のようにして使用される。
まず、圧迫バンドを上腕の中枢側に強めに巻き付けて固定し、圧迫バンドより末梢側に幅広バンドを巻き付ける。次いで、排気弁を閉じた状態で袋状の幅広バンドの内部に適切な圧力になるまでポンプで送気する。これにより、幅広バンドを巻き付けた箇所に存在する静脈血は加圧されて末梢側に流れ込み、末梢側の血管がより拡張しうっ血して、血管確保を容易にすることができる。
【実施例】
【００２２】
ゴムシートから成る駆血バンド１の寸法の具体例として、以下の３種類が挙げられる。
小サイズでは、圧迫バンド２が幅１．２ｃｍ、長さ２２ｃｍ、厚さ１ｍｍ、幅広バンド３が幅６．８ｃｍ、長さ２４ｃｍ、厚さ１ｍｍである。中サイズでは、圧迫バンド２が幅１．８ｃｍ、長さ２６ｃｍ、厚さ１ｍｍ、幅広バンド３が幅８．５ｃｍ、長さ２９ｃｍ、厚さ１ｍｍである。大サイズでは、圧迫バンド２が幅２．０ｃｍ、長さ３０ｃｍ、厚さ１ｍｍ、幅広バンド３が幅１０ｃｍ、長さ３３ｃｍ、厚さ１ｍｍである。但し、駆血バンド１の寸法は、限定されるものではなく、適宜、種々の寸法が可能である。
【００２３】
［試験例］
看護師１年目の初心者に、従来のチューブ型ゴムバンドと本実施の形態の駆血バンド１とを使用してもらい、血管（静脈路）確保の実施試験を行った。その結果を表１に示す。
【表１】
0003195468.tif 000003
【００２４】
表１に示すとおり、従来のゴムバンドの場合、２０例中、成功例が１５件であり、血管確保の成功率は７５％であった。本実施の形態の駆血バンド１の場合、２０例中、成功例が１９件であり、血管確保の成功率は９５％であった。
以上のように、本実施の形態の駆血バンド１は、従来のゴムバンドと比較して前腕静脈の血管拡張、うっ血に優れた効果を発揮し、血管確保を容易にすることが確認された。
【符号の説明】
【００２５】
１  駆血バンド
２  圧迫バンド
２ａ  側縁端部
３  幅広バンド
３ａ  側縁端部
４ａ，５ａ  面ファスナーのループ面側
４ｂ，５ｂ  面ファスナーのフック面側
【図１】
0003195468.tif 000004
【図２】
0003195468.tif 000005
【図３】
0003195468.tif 000006